(57)【要約】      （修正有）【課題】判子本体の図面又は文字の内容は購入のときに知る得るため利用者に驚きかつ喜びを与えること。【解決手段】中空ケース体の端面飾り台をねじ込み、ケースの裏面にスリーブを設け、そのスリーブの一端にケース外部突き出す判子を設け、他端に弾性のパッキンリングを取付け、パッキンリングはスリーブの端面に形成したイメージ体を取り付ける。そのイメージ体はケースに隠され、飾り台といっしょに一端を接続する。これにより、使用していないとき、スリーブの直径より大きいパッキンリングにより、ケース内壁に圧迫され、判子はケース外部の位置に固定される。判子を使用するときに、判子に加わる力はスリーブに圧力を与えて、外部に拡張するパッキンリングは変形を引き起し、内側に引き込んで、スリーブをケースの他端へ徐々に移動させ、スリーブの他端に設けたイメージ体がタイムボックスのように徐々に現れる。【選択図】図３
0003114136.tif 000002
【実用新案登録請求の範囲】
【請求項１】
伸縮機能を有する判子の構造であって、
一つのケースと、一つのスリーブと、一つのパッキンとより成り、
前記スリーブはケースの内部に滑り運動ができるように取りつけられ、スリーブの一端にはケース外部に突き出して判子を設けると共に、他端にはイメージ体を設け、そのイメージ体はケースに隠れていて、
前記パッキンはスリーブとイメージ体との接続場所に取りつけられ、その直径はスリーブの直径より大きく、
使用しないときは、スリーブがパッキンによりケースの内壁に圧迫され、判子を当ててケース外部に突き出させて判子を使用するときは、判子に加わる力により外側に拡張していたパッキンが変形して内側に引き込み、スリーブをケースの他端に移動することを特徴とする伸縮機能を有する判子の構造。
【請求項２】
ケースはイメージ体側の一端に飾り台を設けた特徴とする請求項１記載の伸縮機能を有する判子の構造。
【請求項３】
飾り台の上にはカーバを納めることができる収納空間を設け、そのカーバはイメージ体を被せることができる大きさであることを特徴とする請求項２記載の伸縮機能を有する判子構造。
【請求項４】
パッキンはゴムパッキンであることを特徴とする請求項１記載の伸縮機能を有する判子構造。
【考案の詳細な説明】
【技術分野】
【０００１】
本考案は一種の伸縮機能を有する判子の構造に関わるもので、一種のパッキンリング形式のパッキンリングは圧力を受けて売り側に引き込んで変形を引き起し、隠していたイメージ体が判子を使用しているときに、徐々と現れて、利用者に喜びと楽しみを与えられる、伸縮機能を有する判子の構造に関するものである。
【背景技術】
【０００２】
図１に示す通り、一般の判子は、その一端に図画又は文字を彫刻した上、カーバを付けるだけに止まる。このような判子は単調で変化に乏しいため、一部は判子の図画又は文字を彫刻していない端面にアニメの人物、又は花や草など様々なスタイルを有するたイメージ体を加えて、使用するときの楽しみを付けている。しかし、日にちが経つと、その楽しみが失われる。
【０００３】
この現状を改善するため、図画又は文字を変えられる判子本体が開発されている。その主なやり方は、様々な図画又は文字を彫刻したものを貼り付け又はその他の方式で柱体に固定する。このように、変化する判子本体は利用者に様々な感覚を与えられる。
【考案の開示】
【考案が解決しようとする課題】
【０００４】
しかし、判子本体の図画又は文字の内容は購入するときに知り得るため、利用者に驚きかつ喜びを与えることができない。
【０００５】
本考案は前述の従来技術の欠点について、一歩進んだ改良である。
本考案の一つの目的は、一種の伸縮機能を有する判子構造の提供することにある。
【課題を解決するための手段】
【０００６】
本考案に係る伸縮機能を有する判子の構造は、中空のケース体を有し、中空ケース体の端面飾り台をねじ込む。その飾り台は中空体であり、ケースの裏面にスリーブを設ける。そのスリーブの一端にケース外部突き出す判子を設け、他端に弾性のパッキンリングを取付ける。パッキンリングの直径はスリーブの直径よりやや大きい。なお、パッキンリングはスリーブの端面に設計されたイメージ体を取り付ける。そのイメージ体はケースに隠され、飾り台といっしょに一端を接続する。これにより、本考案は使用していないとき、スリーブの直径より大きいパッキンリングにより、ケース内壁に圧迫され、判子はケース外部の位置に固定される。判子を使用するときに、判子に加わる力はスリーブに圧力を与えて、外部に拡張するパッキンリングは変形を引き起し、内側に引き込んで、スリーブをケースの他端へ徐々に移動させ、スリーブの他端に設けたイメージ体はタイムボックスのように徐々に現れて、利用者に驚きと喜びを与えることができる。
【考案の効果】
【０００７】
本考案は、判子を使用していないときは、スリーブの直径より大きいパッキンリングにより、ケース内壁に圧迫され、判子はケース外部の位置に固定される。
判子を使用するときに、判子に加わる力がスリーブを外部に拡張するように変形を引き起して内側に引き込み、スリーブをケースの他端へ徐々に移動させる。スリーブの他端に設けたイメージ体がタイムボックスのよう徐々に現れるため、利用者に驚きと喜びを与えることができる。
【考案を実施するための最良の形態】
【０００８】
以下、添付図面を参照して本考案の好適な実施の形態を詳細に説明する。
【０００９】
本考案に係る伸縮機能を有する判子構造を図２,３に示す。
判子はケース10を具備する。
本実施例においてケース10は中空状の筒体であり、そのケース10は少なくとも一端に雄ねじ11を設ける。本実施例において、両端ともねじを設ける。
【００１０】
その雄ねじ11上に飾り台20を設ける。飾り台20は台座21を設け、その台座21に収納空間211を引き込んで設ける。収納空間211の開口部の内壁にねじ212を設け、ねじ山212はケース10の雄ねじ11と互いにねじ締める。
【００１１】
さらに、その台座21に飾り体22を設ける。飾り体22は立体形状又は平面の図画からなる。本実施例においては、ひざまずいた姿で本を手に持つ立体像とする。
【００１２】
さらに、そのケース10にスリーブ30を取り付ける。スリーブ30の高さはケース10より高い。スリーブ30はケース10の内壁に貼り付けられている。またはスリーブ30はケース10の中に滑り移動される。
【００１３】
さらに、スリーブ30の両端に雄ねじ31を設け、雄ねじ31の一端はケース10に突き出した判子32をねじで締め付ける。
判子32は雌ねじ321を設け、雌ねじ321は雄ねじ31と互いにねじ締める。
【００１４】
さらに、判子32上にカーバ33を蓋閉める。他端は弾性のパッキンリング34を取付ける。本実施例において、第一ゴムワッシャーを用いる。パッキンリング34の直径は、スリーブ30よりやや大きい。
パッキンリング34はその端面の雄ねじ31とスリーブ30との接続箇所に取り付ける。
【００１５】
その端面の雄ねじ31にイメージ体35をねじ締め付け、イメージ体35はあらかじめ形成しておいた図柄、文字などとする。本実施例においては、マグドナルドロゴを浮き彫りする。
イメージ体35上にかぶせ板36を設け、イメージ体35を被せる。
【００１６】
さらに、かぶせ板36にガスケット37を設け、ガスケット37とかぶせ板36は飾り台20の収納空間211の間に設ける。イメージ体35はケース10内部に隠していて、飾り台20と向かい合う。
【００１７】
図４Ａ，４Ｂ，４Ｃに示す通り、判子32はケース10の外部に突き出して、イメージ体35は、使用者の必要に応じて、様々なスタイルに設計して置く。
スリーブ30に判子32をねじ締めしていない端面に固定する。
【００１８】
固定する前に、その端の雄ねじ31（図示していない）にパッキンリング34を取り付けてから、ケース10に押し込んで、イメージ体35をケース10の中に隠す。
さらに、パッキンリング34の圧迫の働きにより、スリーブ30をケース10に自由に滑り移動ができない。
【００１９】
利用者が判子を押捺するとき、判子32は利用者の働きかけた力により、スリーブ30に圧力として加わり、パッキンリング34は圧力を受けたため、変形して内側に引き込み（図４Ｂ，４Ｃ）、ケース10内壁に圧迫しない。
これにより、スリーブ30は判子32の端に移動せず（図４Ａ）、ケース10内部に移動する。
【００２０】
図５Ａ，５Ｂ，５Ｃに示す通り、利用者の使用回数につれて、スリーブ30は徐々に飾り台20に移動したとき、スリーブ30上のパッキンリング34も徐々にケース10から露出して、ケース10の端面にぴったりくっつけて、イメージ体35も収納空間211に突き出して、蓋36とガスケット37は圧迫され収納空間211の密閉端にぴったりくっつける。
これにより、タイムボックスのように、イメージ体35が露出して、利用者の驚きと喜びを与えることができる。
【００２１】
前記した実施例から、本考案の設計は利用者により多くの驚きと喜びを与えることができる。
さらに、本考案を実施した判子を人に贈るとき、秘密話又は考え方を本考案のイメージ体35に作って置く。ある期間を使用すると、イメージ体35が現れたとき、利用者を感動させる。
【図面の簡単な説明】
【００２２】
【図１】慣用の判子概略図。
【図２】本考案の立体概略図。
【図３】本考案の立体分解概略図。
【図４Ａ】本考案の判子使用するときの立体概略図。
【図４Ｂ】本考案の判子使用するとき、パッキンリング働きの拡大概略図。
【図４Ｃ】本考案の判子使用するときの断面概略図。
【図５Ａ】本考案の隠れたイメージ体を露出したときの立体概略図。
【図５Ｂ】本考案のパッキンリングをケース端面に露出させるときの働き概略図。
【図５Ｃ】本考案を使用するときの隠れたイメージ体を露出したときの立体概略図。
【符号の説明】
【００２３】
10・・・ケース
11、31・・・雄ねじ
20・・・飾り台
21・・・台座
211・・・収納空間
212・・・ねじ山
22・・・飾り体
30・・・スリーブ
32・・・判子
321・・・雌ねじ
33・・・カーバ
34・・・パッキンリング
35・・・イメージ体
36・・・かぶせ板
37・・・ガスケット
【図１】
0003114136.tif 000003
【図２】
0003114136.tif 000004
【図３】
0003114136.tif 000005
【図４Ａ】
0003114136.tif 000006
【図４Ｂ】
0003114136.tif 000007
【図４Ｃ】
0003114136.tif 000008
【図５Ａ】
0003114136.tif 000009
【図５Ｂ】
0003114136.tif 000010
【図５Ｃ】
0003114136.tif 000011